(57)【要約】【課題】  美容師や理容師がカッティングクロスを髪と一緒に誤って切ってしまうことを防止可能なプロテクターを提供すること。【解決手段】  着用者の背面のうちの少なくとも上方部分を覆う後身頃部４０と、着用者の正面のうちの少なくとも左肩から左胸にかけての部分と右肩から右胸にかけての部分とを覆う前身頃部１０と、によってプロテクター１Ａを構成し、後身頃部４０と前身頃部１０とを、パラ系アラミド繊維によって形成された糸を織った布５によって形成し、後身頃部４０の下端に複数個の小さな錘７４を装着し、前身頃部１０の下端に複数個の小さな錘７２と錘７３とを装着し、後身頃部４０の表面にガイドライン８１を形成し、前身頃部１０の表面にガイドライン８５とガイドライン８６とを形成する。【選択図】  図１
2014200434.tif 000002
【特許請求の範囲】
【請求項１】
着用者の背面のうちの少なくとも上方部分を覆う後身頃部と、着用者の正面のうちの少なくとも左肩から左胸にかけての部分と右肩から右胸にかけての部分とを覆う前身頃部と、を有しており、
前記後身頃部と前記前身頃部とが、ＰＡＮ系炭素繊維、パラ系アラミド繊維、超高分子量ポリエチレン繊維、ポリアリレート繊維、ＰＢＯ繊維、高強度ポリエチレン繊維、高強度ＰＶＡ繊維及びポリアセタール繊維のうちのいずれかひとつの繊維によって形成された糸又は複数の繊維によって形成された糸を織るか又は編むかした布によって形成されていることを特徴とするプロテクター。
【請求項２】
前記後身頃部の下端と、前記前身頃部の下端と、に、錘が装着されていることを特徴とする請求項１に記載のプロテクター。
【請求項３】
前記前身頃部は、着用者の左肩から左胸にかけて垂下する１枚の前記布によって形成された左前身頃部と、着用者の右肩から右胸にかけて垂下する１枚の前記布によって形成された右前身頃部と、を有しており、
前記左前身頃部は、前記後身頃部の左肩部分に連結されており、前記右前身頃部は、前記後身頃部の右肩部分に連結されていることを特徴とする請求項１又は請求項２に記載のプロテクター。
【請求項４】
前記後身頃部は、着用者の背面の左側部分を覆う１枚の前記布によって形成された左後身頃部と、着用者の背面の右側部分を覆う１枚の前記布によって形成された右後身頃部と、を有しており、
前記左後身頃部は、前記前身頃部の左肩部分に連結されており、前記右後身頃部は、前記前身頃部の右肩部分に連結されており、
前記左後身頃部と、前記右後身頃部と、は、着用者の背面側において、相互に接合と解放とを可能に形成されていることを特徴とする請求項１又は請求項２に記載のプロテクター。
【請求項５】
１枚の前記布によって形成された前記後身頃部と、１枚の前記布によって形成された前記前身頃部と、は、着用者の左右両肩部分のうちの一方において、相互に連結されており、着用者の左右両肩部分のうちの他方において、相互に接合と解放とを可能に形成されていることを特徴とする請求項１又は請求項２に記載のプロテクター。
【請求項６】
前記後身頃部と、前記前身頃部と、は、それぞれの表面に、着用者に対して左右対称に形成されたガイドラインを有していることを特徴とする請求項１から請求項５のうちのいずれかの請求項に記載のプロテクター。
【発明の詳細な説明】
【技術分野】
【０００１】
本発明は、美容業や理容業で髪をハサミで切る際に使用するカッティングクロスのプロテクターに関する。
【背景技術】
【０００２】
従来、美容業や理容業において、顧客の髪を切る際は、顧客の身体をすっぽりと覆うカッティングクロスが使用されている（例えば、非特許文献１を参照）。カッティングクロスを使用することによって、顧客の衣服にカットした髪が付着することが防止される。このようなカッティングクロスは、薄く軽いナイロン製であることが多い。
【先行技術文献】
【非特許文献】
【０００３】
【非特許文献１】株式会社ワコウ  カッティングクロス［２０１３年３月１８日検索］インターネット＜ＵＲＬ：ｈｔｔｐ：／／ｗｗｗ．ｗａｋｏ−ｒｉｂｉｙｏ．ｃｏｍ／ｃｕｔｔｉｎｇ−ｃｌｏｔｈ／ｉｎｄｅｘ．ｈｔｍｌ＞
【発明の概要】
【発明が解決しようとする課題】
【０００４】
以下の説明において、美容師や理容師等の人の髪を切る人のことを美容師等ということとする。
美容師等が顧客の髪を切る際に用いるハサミは、その刃が非常に鋭利である。そして、美容師等が髪を切る際にハサミを動かすスピードは非常に速い。また、カッティングクロスは、顧客の身体をふわりと包んだ状態となっている。さらに、カッティングクロスと顧客の身体との間には、たっぷりとした隙間が形成されている。
【０００５】
このため、美容師等がカッティングクロスを髪と一緒にハサミで誤って切ってしまうことが起こりやすい。特に、美容師等が、自然に垂れ下がった状態の長い髪の端にハサミを入れるときに、このようなことが起こりやすい。
カッティングクロスを髪と一緒に切ってしまうと、当然のことながら、カッティングクロスに穴が開いてしまう。そして、この穴から切った髪がカッティングクロスの内側に入り、顧客の衣服に切った髪が付着してしまう。したがって、穴が開いてしまったカッティングクロスは、そのまま廃棄されることとなる。
【０００６】
本発明は、上記問題を解決するものであり、その目的とするところは、美容師や理容師がカッティングクロスを髪と一緒にハサミで誤って切ってしまうことを防止可能なプロテクターを提供することである。
【課題を解決するための手段】
【０００７】
本発明は、その課題を解決するために以下のような構成をとる。請求項１の発明に係るプロテクターは、着用者の背面のうちの少なくとも上方部分を覆う後身頃部と、着用者の正面のうちの少なくとも左肩から左胸にかけての部分と右肩から右胸にかけての部分とを覆う前身頃部と、を有しており、前記後身頃部と前記前身頃部とが、ＰＡＮ系炭素繊維、パラ系アラミド繊維、超高分子量ポリエチレン繊維、ポリアリレート繊維、ＰＢＯ繊維、高強度ポリエチレン繊維、高強度ＰＶＡ繊維及びポリアセタール繊維のうちのいずれかひとつの繊維によって形成された糸又は複数の繊維によって形成された糸を織るか又は編むかした布によって形成されていることを特徴とする。
【０００８】
ＰＡＮ系炭素繊維（ポリアクリロニトリル系炭素繊維）、パラ系アラミド繊維、超高分子量ポリエチレン繊維、ポリアリレート繊維、ＰＢＯ繊維（ポリパラフェニレンベンズオキサゾール繊維）、高強度ポリエチレン繊維、高強度ＰＶＡ繊維（高強度ポリビニールアルコール繊維）及びポリアセタール繊維は、それぞれ、高い引っ張り強度を有する繊維であり、特に高いヤング率を有する繊維である。したがって、これらのうちのいずれかひとつの繊維によって形成された糸を織るか又は編むかした布や、これらのうちの複数の繊維によって形成された糸を織るか又は編むかした布は、優れた耐切創性を有している。
【０００９】
プロテクターの着用者は、先ず、カッティングクロスを着用する。そして、カッティングクロスの上にプロテクターを着用する。プロテクターは、カッティングクロスで覆われた着用者の背面のうちの少なくとも上方部分と、正面のうちの少なくとも左肩から左胸にかけての部分と右肩から右胸にかけての部分を覆う。
【００１０】
肩よりも下まで伸びた長い髪は、肩を境にして身体の正面側と背面側とに振り分けた状態となって自然に垂れ下がる。身体の正面側の髪は、顔面の左手側と右手側とに振り分けた状態となって、プロテクターの前身頃部の上に垂れ下がる。また、身体の背面側の髪は、プロテクターの後身頃部の上に垂れ下がる。
【００１１】
そして、美容師等が、自然に垂れ下がった状態の長い髪の端にハサミを入れる場合であっても、プロテクターがカッティングクロスの上を覆った状態となっている。このため、カッティングクロスが誤って髪と一緒に切られてしまうことを、プロテクターが防止している。
【００１２】
請求項２の発明に係るプロテクターは、請求項１に記載のプロテクターであって、前記後身頃部の下端と、前記前身頃部の下端と、に、錘が装着されていることを特徴とする。
後身頃部の下端と前記前身頃部の下端とに、錘が装着されている。このため、カッティングクロスを覆うプロテクターは、着用者の身体の表面に沿って垂れ下がることとなる。そして、カッティングクロスとプロテクターとの間に、隙間ができにくくなる。美容師等が、自然に垂れ下がった状態の長い髪の端にハサミを入れる場合、髪と一緒にプロテクターにハサミを入れてしまうことが防止されることになり、カッティングクロスにハサミを入れてしまうことも防止される。
【００１３】
請求項３の発明に係るプロテクターは、請求項１又は請求項２に記載のプロテクターであって、前記前身頃部は、着用者の左肩から左胸にかけて垂下する１枚の前記布によって形成された左前身頃部と、着用者の右肩から右胸にかけて垂下する１枚の前記布によって形成された右前身頃部と、を有しており、前記左前身頃部は、前記後身頃部の左肩部分に連結されており、前記右前身頃部は、前記後身頃部の右肩部分に連結されていることを特徴とする。
【００１４】
髪が自然に垂れ下がった状態において、身体の正面側で、顔面の左手側に振り分けられた髪は、プロテクターの左肩側から左前身頃部の上に垂れ下がる。また、顔面の右手側に振り分けられた髪は、プロテクターの右肩側から右前身頃部の上に垂れ下がる。
このため、美容師等が、身体の正面側で自然に垂れ下がった状態の長い髪の端にハサミを入れる場合、髪と一緒にカッティングクロスにハサミを入れることが、プロテクターの左前身頃部と右前身頃部とによって防止される。
【００１５】
美容師等は、着用者の背後からプロテクターを容易に着用させることができる。また、プロテクターの左前身頃部と右前身頃部とが、着用者の正面側において、相互に接合と解放とを可能に形成されていても良い。この場合、左前身頃部と右前身頃部とは、例えば、面ファスナーやスライドファスナーによって、隙間なく接合されることが好ましい。なぜならば、左前身頃部と右前身頃部との接合部分に隙間があると、この隙間にハサミの先端が引っかかる等しやすくなるからである。
【００１６】
なお、左前身頃部と右前身頃部とにおいて、一方の前身頃部の一部分が他方の前身頃部の一部分の上に重なることによって、左前身頃部と右前身頃部とが接合する場合、プロテクターは以下の構成を有することが好ましい。
すなわち、美容師等が右利きである場合、左前身頃部の一部分が右前身頃部の一部分の上に重なることによって、左前身頃部と右前身頃部とが接合する構成であることが好ましい。
【００１７】
また、美容師等が左利きである場合、右前身頃部の一部分が左前身頃部の一部分の上に重なることによって、左前身頃部と右前身頃部とが接合する構成であることが好ましい。かかる構成をプロテクターが有することによって、美容師等が利き手に持つハサミの先端が、左前身頃部と右前身頃部との接合部分に引っかかったりすることが防止される。
【００１８】
請求項４の発明に係るプロテクターは、請求項１又は請求項２に記載のプロテクターであって、前記後身頃部は、着用者の背面の左側部分を覆う１枚の前記布によって形成された左後身頃部と、着用者の背面の右側部分を覆う１枚の前記布によって形成された右後身頃部と、を有しており、前記左後身頃部は、前記前身頃部の左肩部分に連結されており、前記右後身頃部は、前記前身頃部の右肩部分に連結されており、前記左後身頃部と、前記右後身頃部と、は、着用者の背面側において、相互に接合と解放とを可能に形成されていることを特徴とする。
【００１９】
美容師等は、先ず、着用者の正面側に前身頃部をあてがう。次いで、着用者の背面側に左後身頃部と右後身頃部とをそれぞれあてがう。そして、左後身頃部と右後身頃部とを、着用者の背面側において相互に接合する。このようにして、美容師等は、着用者の背後からプロテクターを容易に着用させることができる。
【００２０】
なお、左後身頃部と右後身頃部とは、例えば、面ファスナーやスライドファスナーによって、隙間なく接合されることが好ましい。なぜならば、左後身頃部と右後身頃部との接合部分に隙間があると、この隙間にハサミの先端が引っかかる等しやすくなるからである。
【００２１】
左後身頃部と右後身頃部とにおいて、一方の後身頃部の一部分が他方の後身頃部の一部分の上に重なることによって、左後身頃部と右後身頃部とが接合結合する場合、プロテクターは以下の構成を有することが好ましい。
すなわち、美容師等が右利きである場合、右後身頃部の一部分が左後身頃部の一部分の上に重なることによって、左後身頃部と右後身頃部とが接合する構成であることが好ましい。また、美容師等が左利きである場合、左後身頃部の一部分が右後身頃部の一部分の上に重なることによって、左後身頃部と右後身頃部とが接合する構成であることが好ましい。かかる構成をプロテクターが有することによって、美容師等が利き手に持つハサミの先端が、左後身頃部と右後身頃部との接合部分に引っかかったりすることが防止される。
【００２２】
請求項５の発明に係るプロテクターは、請求項１又は請求項２に記載のプロテクターであって、１枚の前記布によって形成された前記後身頃部と、１枚の前記布によって形成された前記前身頃部と、は、着用者の左右両肩部分のうちの一方において、相互に連結されており、着用者の左右両肩部分のうちの他方において、相互に接合と解放とを可能に形成されていることを特徴とする。
【００２３】
美容師等は、先ず、着用者の正面側に前身頃部をあてがう。次いで、着用者の背面側に後身頃部をあてがう。そして、後身頃部と前身頃部とを、相互に接合する。このようにして、美容師等は、プロテクターを容易に着用させることができる。
この場合においても、後身頃部と前身頃部とは、例えば、面ファスナーやスライドファスナーによって、隙間なく接合されることが好ましい。
【００２４】
請求項６の発明に係るプロテクターは、請求項１から請求項５のうちのいずれかの請求項に記載のプロテクターであって、前記後身頃部と、前記前身頃部と、は、それぞれの表面に、着用者に対して左右対称に形成されたガイドラインを有していることを特徴とする。
美容師等は、プロテクターの表面のガイドラインを目安として、着用者の髪に左右均等に容易にハサミを入れることができる。
【００２５】
なお、ガイドラインは、例えば、１本又は複数本の横線であっても良いし、１本又は複数本の縦線であっても良いし、格子線であっても良い。また、ガイドラインは、１本又は複数本のＶ字状の線であっても良いし、Ｖ字を上下反転させた形状の１本又は複数本のＶ字状の線であっても良い。
【発明の効果】
【００２６】
上記のようなプロテクターであるので、美容師や理容師がカッティングクロスを髪と一緒にハサミで誤って切ってしまうことを防止可能である。
【図面の簡単な説明】
【００２７】
【図１】プロテクターを広げた状態の説明図である。
【図２】変形例１に係るプロテクターを広げた状態の説明図である。
【図３】変形例２に係るプロテクターを広げた状態の説明図である。
【図４】変形例３に係るプロテクターを広げた状態の説明図である。
【発明を実施するための形態】
【００２８】
以下の説明において特に断らない限り、左あるいは左側とは、プロテクターを人が着用している状態において、着用者の左手側のことをいうものとする。そして、右あるいは右側とは、プロテクターを人が着用している状態において、着用者の右手側のことをいうものとする。このため、図１〜図４において、プロテクターの左側が図中の右側に示され、プロテクターの右側が図中の左側に示されている。
【００２９】
また、上方とは、プロテクターを人が着用している状態において、プロテクターの上方のことをいうものとする。そして、下方あるいは下端とは、プロテクターを人が着用している状態において、プロテクターの下方あるいは下端のことをいうものとする。
【００３０】
本発明の実施の形態を図１を参照しつつ以下に説明する。
図１に示すプロテクター１Ａは、１枚の左前身頃部２０と１枚の右前身頃部３０とからなる前身頃部１０と、１枚の後身頃部４０とを有している。左前身頃部２０、右前身頃部３０及び後身頃部４０は、それぞれ、パラ系アラミド繊維によって形成された糸を織った布５によって形成されている。この布５は、ハサミに対して耐切創性を有している。
【００３１】
後身頃部４０は、人がプロテクター１Ａを着用した状態において、着用者の背面のうちの少なくとも上方部分を覆うに足りる広さと形状を有している。そして、後身頃部４０の下端の縁４２に沿って、複数個の小さな錘７４が装着されている。なお、錘７４の総重量は、人がプロテクター１Ａを着用した状態において、後身頃部４０が着用者の背面に沿って自然に垂れ下がることが可能な重量である。
【００３２】
左前身頃部２０は、人がプロテクター１Ａを着用した状態において、着用者の正面のうちの少なくとも左肩から左胸にかけての部分を覆うに足りる広さと形状を有している。そして、左前身頃部２０の下端の縁２２に沿って、複数個の小さな錘７２が装着されている。
【００３３】
なお、錘７２の総重量は、人がプロテクター１Ａを着用した状態において、左前身頃部２０が、着用者の左肩から左胸にかけて、着用者の身体に沿って自然に垂れ下がることが可能な重量である。
そして、後身頃部４０の左側上方にある左肩部分４３と、左前身頃部２０の上方にある左肩部分２４と、が、互いに縫着されて一体に連結している。
【００３４】
同様に、右前身頃部３０は、人がプロテクター１Ａを着用した状態において、着用者の正面のうちの少なくとも右肩から右胸にかけての部分を覆うに足りる広さと形状を有している。そして、右前身頃部３０の下端の縁３２に沿って、複数個の小さな錘７３が装着されている。
【００３５】
なお、錘７３の総重量は、人がプロテクター１Ａを着用した状態において、右前身頃部３０が、着用者の右肩から右胸にかけて、着用者の身体に沿って自然に垂れ下がることが可能な重量である。
そして、後身頃部４０の右側上方にある右肩部分４４と、右前身頃部３０の上方にある右肩部分３４と、が、互いに縫着されて一体に連結している。
【００３６】
また、左前身頃部２０は、その表面２１上に、ガイドライン８５を形成する複数本の横線を有している。右前身頃部３０は、その表面３１上に、ガイドライン８６を形成する複数本の横線を有している。後身頃部４０は、その表面４１上に、ガイドライン８１を形成する複数本の横線を有している。
【００３７】
ガイドライン８５の横線は、左前身頃部２０の下端の縁２２に沿って、等間隔で引かれた平行線である。ガイドライン８６の横線は、右前身頃部３０の下端の縁３２に沿って、等間隔で引かれた平行線である。そして、広げた状態のプロテクター１Ａの前身頃部１０において、ガイドライン８５とガイドライン８６とは、左右対称になっている。
【００３８】
ガイドライン８１の横線は、後身頃部４０の縁４２に沿って、等間隔で引かれた平行線である。そして、広げた状態のプロテクター１Ａの後身頃部４０において、ガイドライン８１は、左右対称になっている。
以上が、プロテクター１Ａの構成である。次に、このプロテクター１Ａの作用効果について説明する。
【００３９】
美容師が顧客の髪を切る場合を例にとって以下説明する。この顧客の髪は長く、顧客の正面側において、髪の先端は、顧客の胸元まで達しており、顧客の背面側において、髪の先端は、顧客の肩甲骨がある位置まで達している。
先ず、美容師は、カッティングクロスを椅子に腰かけた顧客に着用させる。さらに、美容師は、カッティングクロスの上からプロテクター１Ａを顧客に着用させる。この顧客が、プロテクター１Ａの着用者となる。
【００４０】
美容師は、プロテクター１Ａを顧客に着用させるに際して、先ず、後身頃部４０を顧客の背面にあてがう。そして、左前身頃部２０を顧客の左肩から左胸にかけて垂らし、右前身頃部３０を顧客の右肩から右胸にかけて垂らす。
プロテクター１Ａは、錘７２、７３、７４の重量によって、カッティングクロスの上から顧客の身体の表面に沿って垂れ下がる。このとき、プロテクター１Ａとカッティングクロスとの間には、隙間がほとんど無くなる。
【００４１】
そして、美容師は、顧客の髪を、プロテクター１Ａの上に自然に垂れ下がっている状態とする。
次いで、美容師は、顧客の髪を振り分け、髪の一部が、肩から正面側に自然に垂れ下がっている状態とし、髪の残りの部分が、肩から背面側に自然に垂れ下がっている状態とする。さらに、美容師は、正面側に垂れ下がる髪が、顔面の左右に振り分けられている状態とする。
【００４２】
すなわち、この状態において、背面側の髪は、後身頃部４０の上にのって自然に垂れ下がった状態となっている。顔面の左側に振り分けられた髪は、左前身頃部２０の上にのって自然に垂れ下がった状態となっている。顔面の右側に振り分けられた髪は、右前身頃部３０の上にのって自然に垂れ下がった状態となっている。
【００４３】
そして、美容師は、顧客の髪にハサミを入れる。
必要に応じて、美容師は、髪を指で固定することなく、自然に垂れ下がった状態の髪の端にハサミを入れる。このような場合において、プロテクター１Ａがハサミの刃の間に入ってしまったとしても、プロテクター１Ａがハサミによって切られることはない。なぜならば、プロテクター１Ａを形成する布５は、ハサミに対して耐切創性を有しているからである。また、このような場合において、自然に垂れ下がっている髪は、プロテクター１Ａの上にのっているので、カッティングクロスがハサミの刃の間に入り切られてしまうこともない。
【００４４】
したがって、美容師が顧客の髪を切るに際して、カッティングクロスを誤ってハサミで切ってしまうことが防止されている。
さらに、美容師は、顧客の髪を切るに際して、ガイドライン８１、８５、８６を基準線として利用することができ、左右対称な髪形を容易に形成することができる。また、美容師が意図的に左右非対称な髪形を形成する場合であっても、ガイドライン８１、８５、８６を基準線として利用することができる。
【００４５】
次に、変形例１に係るプロテクター１Ｂを図２を参照しつつ説明する。
図２に示すプロテクター１Ｂは、以下の点においてプロテクター１Ａと構成を異にしている。
プロテクター１Ｂにおいて、左前身頃部２０と右前身頃部３０とは、面ファスナー９０によって相互に接合と解放とを可能に形成されている。すなわち、左前身頃部２０の右側の縁２３の裏側部分には、面ファスナー９０のフック面９１が、縁２３に沿って縫着されている。右前身頃部３０の左側の縁３３の表側部分には、面ファスナー９０のループ面９２が、縁３３に沿って縫着されている。
【００４６】
面ファスナー９０によって左前身頃部２０と右前身頃部３０とが接合されているプロテクター１Ｂを、人が着用している状態において、左前身頃部２０と右前身頃部３０は、着用者の正面のうちの少なくとも左右の肩から胸にかけての部分をすべて覆うに足りる広さと形状を有している。すなわち、この状態において、前身頃部１０は、少なくとも着用者の左肩から左胸にかけての部分と、着用者の右肩から右胸にかけての部分と、を覆うに足りる広さと形状を有している。
【００４７】
また、左前身頃部２０の表面２１上のガイドライン８５は、等間隔で引かれた複数本の右下がりの平行線によって形成されている。右前身頃部３０の表面３１上のガイドライン８６は、等間隔で引かれた複数本の左下がりの平行線によって形成されている。そして、面ファスナー９０によって左前身頃部２０と右前身頃部３０とが接合さるとともに、プロテクター１Ｂを広げた状態において、ガイドライン８５とガイドライン８６とは、互いに左右対称になっている。
【００４８】
後身頃部４０の表面４１上のガイドライン８１は、等間隔で引かれた複数本のＶの字形の線と、後身頃部４０の左下部分に等間隔で引かれた複数本の傾斜線と、後身頃部４０の右下部分に等間隔で引かれた複数本の傾斜線と、によって形成されている。そして、広げた状態のプロテクター１Ａの後身頃部４０において、ガイドライン８１は、左右対称になっている。
【００４９】
プロテクター１Ｂの他の構成は、プロテクター１Ａの構成と同様である。
このプロテクター１Ｂを使う美容師は、右利きであり、ハサミを右手に持つ。美容師は、プロテクター１Ａと同様に、カッティングクロスの上からプロテクター１Ｂを顧客に着用させる。そして、美容師は、面ファスナー９０によって左前身頃部２０と右前身頃部３０とを相互に接合する。
【００５０】
美容師が、顧客の正面側に自然に垂れ下がった髪をハサミで切る際、ハサミの先端は顧客の右側を向く。そして、左前身頃部２０と右前身頃部３０との接合部分において、左前身頃部２０は右前身頃部３０の上側に重なった状態となっている。このため、ハサミの先端が、左前身頃部２０と右前身頃部３０との接合部分に引っかかったりすることが防止されている。
【００５１】
プロテクター１Ｂの他の作用・効果は、プロテクター１Ａの作用・効果と同様である。
なお、美容師が、左利きであり、ハサミを左手に持つ場合、プロテクター１Ｂは、以下の構成を有していれば良い。すなわち、左前身頃部２０と右前身頃部３０との接合部分において、右前身頃部３０が左前身頃部２０の上側に重なる構成となっていれば良い。かかる構成によって、ハサミの先端が、左前身頃部２０と右前身頃部３０との接合部分に引っかかったりすることが防止される。
【００５２】
次に、変形例２に係るプロテクター１Ｃを図３を参照しつつ説明する。
図３に示すプロテクター１Ｃは、以下の点においてプロテクター１Ａと構成を異にしている。
プロテクター１Ｃは、１枚の布５によって形成された前身頃部１０を有している。
【００５３】
前身頃部１０の外形と、左前身頃部２０と右前身頃部３０とが接合された状態のプロテクター１Ｂの前身頃部１０の外形と、は、同じ形である。そして、前身頃部１０において、前身頃部１０の右側半分が右前身頃部３０をなし、前身頃部１０の左側半分が左前身頃部２０をなしている。すなわち、前身頃部１０は、プロテクター１Ｃの着用者の正面のうちの少なくとも左右の両肩から胸にかけての部分をすべて覆うに足りる広さと形状を有している。
【００５４】
前身頃部１０の下端の縁１２に沿って、複数個の小さな錘７１が装着されている。なお、錘７１の総重量は、人がプロテクター１Ｃを着用した状態において、前身頃部１０が着用者の左右の肩から胸にかけて、着用者の身体に沿って自然に垂れ下がることが可能な重さである。
【００５５】
後身頃部４０の左側上方にある左肩部分４３には、前身頃部１０の左側上方にある左肩部分１３が縫着されて一体に連結している。
また、後身頃部４０の右側上方にある右肩部分４４と、前身頃部１０の右側上方にある右肩部分１４と、は、面ファスナー９０によって相互に接合と解放とを可能に形成されている。すなわち、右肩部分４４の縁の表側部分には、面ファスナー９０のループ面９２が、この縁に沿って縫着されている。そして、右肩部分１４の縁の裏側部分には、面ファスナー９０のフック面９１が、この縁に沿って縫着されている。
【００５６】
前身頃部１０は、その表面１１上に、ガイドライン８４を形成する複数本の横線を有している。ガイドライン８４の横線は、前身頃部１０の下端の縁１２に沿って、等間隔で引かれた平行線である。そして、広げた状態のプロテクター１Ｃの前身頃部１０において、ガイドライン８４は、左右対称になっている。
【００５７】
プロテクター１Ｃの他の構成は、プロテクター１Ａの構成と同様である。
美容師は、プロテクター１Ａと同様に、カッティングクロスの上からプロテクター１Ｃを顧客に着用させる。そして、美容師は、プロテクター１Ｃを顧客に着用させるに際して、前身頃部１０を顧客の正面にあてがい、後身頃部４０を顧客の背面にあてがい、面ファスナー９０によって、前身頃部１０の右肩部分１４と後身頃部４０の右肩部分４４とを相互に接合する。
プロテクター１Ｃの他の作用・効果は、プロテクター１Ａの作用・効果と同様である。
【００５８】
次に、変形例３に係るプロテクター１Ｄを図４を参照しつつ説明する。
図４に示すプロテクター１Ｄは、以下の点においてプロテクター１Ａと構成を異にしている。
プロテクター１Ｄは、布５によって形成された１枚の前身頃部１０と、布５によって形成された１枚の左後身頃部５０と１枚の右後身頃部６０とからなる後身頃部４０と、を有している。
【００５９】
前身頃部１０の外形と、プロテクター１Ｃの前身頃部１０の外形と、は、同じ形である。そして、前身頃部１０において、前身頃部１０の右側半分が右前身頃部３０をなし、前身頃部１０の左側半分が左前身頃部２０をなしている。
プロテクター１Ｃの前身頃部１０と同様に、前身頃部１０の下端の縁１２に沿って、複数個の小さな錘７１が装着されている。この錘７１の総重量は、やはり、プロテクター１Ｃの錘７１の総重量と同様である。
【００６０】
左後身頃部５０は、人がプロテクター１Ｄを着用した状態において、着用者の背面のうちの少なくとも上方左半分を覆うに足りる広さと形状を有している。そして、左後身頃部５０の下端の縁５２に沿って、複数個の小さな錘７５が装着されている。
なお、錘７５の総重量は、人がプロテクター１Ｄを着用した状態において、左後身頃部５０が着用者の左肩から左肩甲骨にかけて、着用者の背面に沿って自然に垂れ下がることが可能な重量である。
【００６１】
そして、左後身頃部５０の上方にある左肩部分５４と、前身頃部１０の左側上方にある左肩部分１３と、が、互いに縫着されて一体に連結している。
同様に、右後身頃部６０は、人がプロテクター１Ｄを着用した状態において、着用者の背面のうちの少なくとも上方右半分を覆うに足りる広さと形状を有している。そして、右後身頃部６０の下端の縁６２に沿って、複数個の小さな錘７６が装着されている。
【００６２】
なお、錘７６の総重量は、人がプロテクター１Ｄを着用した状態において、右後身頃部６０が着用者の左肩から左肩甲骨にかけて、着用者の背面に沿って自然に垂れ下がることが可能な重量である。
そして、右後身頃部６０の上方にある右肩部分６４と、前身頃部１０の右側上方にある右肩部分１４と、が、互いに縫着されて一体に連結している。
【００６３】
また、プロテクター１Ｄにおいて、左後身頃部５０と右後身頃部６０とは、面ファスナー９０によって相互に接合と解放とを可能に形成されている。すなわち、左後身頃部５０の右側の縁５３の表側部分には、面ファスナー９０のループ面９２が、縁５３に沿って縫着されている。右後身頃部６０の左側の縁６３の裏側部分には、面ファスナー９０のフック面９１が、縁６３に沿って縫着されている。
【００６４】
面ファスナー９０によって左後身頃部５０と右後身頃部６０とが接合されているプロテクター１Ｄを、人が着用している状態において、左後身頃部５０と右後身頃部６０は、着用者の背面のうちの少なくとも上方部分を覆うに足りる広さと形状を有している。
また、前身頃部１０は、その表面１１上に、ガイドライン８４を形成する等間隔で引かれた複数本の縦線と横線とを有している。すなわち、ガイドライン８４は、格子状の線によって形成されており、広げた状態のプロテクター１Ｄの前身頃部１０において、ガイドライン８４は、左右対称になっている。
【００６５】
左後身頃部５０は、その表面５１上に、ガイドライン８２を形成する等間隔で引かれた複数本の縦線と横線とを有している。すなわち、ガイドライン８２は、格子状の線によって形成されている。同様に、右後身頃部６０は、その表面６１上に、ガイドライン８３を形成する等間隔で引かれた複数本の縦線と横線とを有している。すなわち、ガイドライン８３は、格子状の線によって形成されている。
【００６６】
そして、面ファスナー９０によって左後身頃部５０と右後身頃部６０とが接合されるとともに、プロテクター１Ｄを広げた状態において、ガイドライン８２とガイドライン８３とは、互いに左右対称になっている。
プロテクター１Ｄの他の構成は、プロテクター１Ａの構成と同様である。
【００６７】
このプロテクター１Ｄを使う美容師は、右利きであり、ハサミを右手に持つ。美容師は、顧客にプロテクター１Ｄを着用させるに際して、先ず、前身頃部１０を顧客の正面にあてがい、左後身頃部５０を顧客の左肩から背面側に垂らし、右後身頃部６０を顧客の右肩から背面側に垂らす。そして、美容師は、面ファスナー９０によって左後身頃部５０と右後身頃部６０とを相互に接合する。
【００６８】
美容師が、顧客の背面側に自然に垂れ下がった髪をハサミで切る際、ハサミの先端は顧客の左側を向く。そして、左後身頃部５０と右後身頃部６０との接合部分において、左後身頃部５０は右後身頃部６０の上側に重なった状態となっている。このため、ハサミの先端が、左後身頃部５０と右後身頃部６０との接合部分に引っかかったりすることが防止されている。
【００６９】
プロテクター１Ｄの他の作用・効果は、プロテクター１Ａの作用・効果と同様である。
なお、美容師が、左利きであり、ハサミを左手に持つ場合、プロテクター１Ｄは、以下の構成を有していれば良い。すなわち、左後身頃部５０と右後身頃部６０との接合部分において、左後身頃部５０が右後身頃部６０の上側に重なる構成となっていれば良い。かかる構成によって、ハサミの先端が、左後身頃部５０と右後身頃部６０との接合部分に引っかかったりすることが防止される。
【産業上の利用可能性】
【００７０】
上記のようなプロテクターであるので、美容院や理容院、美容や理容の技術を学ぶ施設等において有用である。
【符号の説明】
【００７１】
１Ａ、１Ｂ、１Ｃ、１Ｄ    プロテクター
５    布
１０    前身頃部
１１    前身頃部の表面
１２    前身頃部の下端の縁
１３    前身頃部の左肩部分
１４    前身頃部の右肩部分
２０    左前身頃部
２１    左前身頃部の表面
２２    左前身頃部の下端の縁
２３    左前身頃部の右側の縁
２４    左前身頃部の左肩部分
３０    右前身頃部
３１    右前身頃部の表面
３２    右前身頃部の下端の縁
３３    右前身頃部の左側の縁
３４    右前身頃部の右肩部分
４０    後身頃部
４１    後身頃部の表面
４２    後身頃部の下端の縁
４３    後身頃部の左肩部分
４４    後身頃部の右肩部分
５０    左後身頃部
５１    左後身頃部の表面
５２    左後身頃部の下端の縁
５３    左後身頃部の右側の縁
５４    左後身頃部の左肩部分
６０    右後身頃部
６１    右後身頃部の表面
６２    右後身頃部の下端の縁
６３    右後身頃部の左側の縁
６４    右後身頃部の右肩部分
７１、７２、７３、７４、７５、７６    錘
８１、８２、８３、８４、８５、８６    ガイドライン
９０    面ファスナー
９１    フック面
９２    ループ面
【図１】
2014200434.tif 000003
【図２】
2014200434.tif 000004
【図３】
2014200434.tif 000005
【図４】
2014200434.tif 000006